(57)【要約】螺旋形のワイヤ（120）で互いに接続されるコイルスプリング（110）の列及び段からなるマットレスのための内側のスプリングユニット（100）の改善された製造。独立した緩衝、すなわちポケット・スプリング（170）は、眠っている姿勢で本体の最も重い部分すなわち、腰部分に追加的な緩衝サポートを提供するため、内側のスプリングの中心部で設置される。【選択図】  図1
2009502309.tif 000002
【特許請求の範囲】
【請求項１】
マットレスのための改善された内側のスプリング・ユニットであって；コイルスプリングの列及び段において、該コイルスプリングが、所定の距離でコイルスプリングの隣接した該列から相互に間隔を置かれるコイルスプリングの複数の列に配置され、それによって、2つの隣接した該コイルスプリングの間で通路が形成されるようなコイルスプリングの列及び段；及び、該通路に設置される独立した弾力的な要素において、該弾力的な要素の高さは、緩んだ状態の該コイルスプリングの高さよりわずかに低いような独立した弾力的な要素を含む内側のスプリング・ユニット。
【請求項２】
マットレスのための改善された内側のスプリング・ユニットであって；コイルスプリングの列及び段において、該コイルスプリングが、所定の距離でコイルスプリングの隣接した該列から相互に間隔を置かれるコイルスプリングの複数の列に配置され、それによって、2つの隣接した該コイルスプリングの間で通路が形成されるようなコイルスプリングの列及び段；及び、該通路に設置される独立した弾力的な要素において、該弾力的な要素の高さは、緩んだ状態の該コイルスプリングの高さとおよそ同じであるような独立した弾力的な要素を含む内側のスプリング・ユニット。
【請求項３】
請求項1及び2に記載の改善された内側のスプリング・ユニットであって、前記コイルスプリングは、頭部分をベース部分に接続している胴体部分を有し、該頭部分及び該ベース部分は、該胴体部分より大きい内側のスプリング・ユニット。
【請求項４】
請求項3に記載の改善された内側のスプリング・ユニットであって、2つの隣接した前記コイルスプリングの前記頭及びベースはスプリング保持要素によって接続される内側のスプリング・ユニット。
【請求項５】
請求項1及び2に記載の改善された内側のスプリング・ユニットであって、前記弾力的な材料はポケット・スプリングである内側のスプリング・ユニット。
【請求項６】
請求項5に記載の改善された内側のスプリング・ユニットであって、前記ポケット・スプリングは、ポケットに含まれるスプリングを有する内側のスプリング・ユニット。
【請求項７】
請求項6に記載の改善された内側のスプリング・ユニットであって、前記ポケットは、そこにおいて含まれる前記スプリングによって封止される内側のスプリング・ユニット。
【請求項８】
請求項5に記載の改善された内側のスプリング・ユニットであって、前記ポケット・スプリングの列は、該ポケット・スプリングの列を形成するために一緒に縫い込まれる内側のスプリング・ユニット。
【請求項９】
請求項8に記載の改善された内側のスプリング・ユニットであって、前記ポケット・スプリングの列は直線の構造にある内側のスプリング・ユニット。
【請求項１０】
請求項1及び2に記載の改善された内側のスプリング・ユニットであって、前記ポケット・スプリングは、前記改善された内側のスプリング・ユニットでできているマットレスの中心部に位置する内側のスプリング・ユニット。
【発明の詳細な説明】
【技術分野】
【０００１】
本発明はマットレス構造、特にマットレスのための改善された内側のスプリング・ユニットに関する。
【背景技術】
【０００２】
従来のマットレスは、内側のスプリング・ユニット、上部カバー・アセンブリ及び底部カバー・アセンブリで構成される。内側のスプリング・ユニットは、直列に配置されるコイルスプリングの配列を含む。2つの隣接したコイルスプリングの各々は、スプリング保持要素によって上部及び底部で互いに取り付けられる。上部及び底部カバー・アセンブリは、弾力的なフォーム材の複数層及び布の外層で各々が構成される。
【０００３】
一般に、理想的なマットレスは、硬さ及び柔らかさの間で釣合いを提供しなければならない。マットレスは、適切な援助を提供するのに十分硬くなければならない。しかしながら、マットレスはまた、ユーザに不快でないように、十分に柔らかくなければならない。したがって、マットレスの製造業者の目的は常に、これらの2つの矛盾する質の間の釣合いを目標にしている。
【０００４】
典型的な内側のスプリング・マットレスのため、硬さは内側のスプリング・ユニットのコイルスプリングによって提供され、柔らかさは上部及び底部カバー・アセンブリの気泡材層によって提供される。上部カバー・アセンブリの気泡材層が比較的薄い場合、マットレスはより硬いと感じられる。これは、比較的少量の負荷が上部カバー・アセンブリによって吸収され、大部分の負荷は内側のスプリング・ユニットによって吸収されるからである。この場合、マットレスはより柔らかいというよりはむしろより硬く感じられる。そのマットレスは、ハードタイプと称されるかもしれない。上部カバー・アセンブリの気泡材層がより厚い場合、より多くの負荷が上部カバー・アセンブリによって吸収され、内側のスプリング・ユニットにはより少量の負荷が吸収され、マットレスはより柔らかいと感じられる。しかしながら、最適の快適さでユーザの体重をサポートするためにある程度の硬さが必要とされるので、これは望ましくない。
【０００５】
従来のマットレスにおいて、内側のスプリング・ユニットの構造は実質的には均一である。しかしながら、体の部位は、体における異なる部分で異なる重量分配を有する。眠っている姿勢にある場合、腰回りの部分が体の最も重い部分である。ユーザが従来のマットレスで眠ると、異なる重量分配に起因する異なる力がマットレス上へ適用される。力は、眠っている位置の腰回り部分の場所であるマットレスの中央においてより大きい。これにより、マットレスの上面は、異なる重量分配に起因する人間の体の輪郭に適合する。これは、続いてユーザの快適さに影響を及ぼす。
【０００６】
発明の内側のスプリング構造は、眠っている姿勢で、体における腰回り部分の余分な負荷を追加的にサポートするため、内側のスプリング・ユニットの中心部に追加的な弾力的な材料を導入する。
【発明の開示】
【０００７】
本発明は、マットレスのための内側のスプリング・ユニットを製造する改善された方法であり、ここにおいて、内側のスプリング・ユニットは、コイルスプリングまたはボンネルスプリング、スプリング保持要素すなわち螺旋形のワイヤ、及び、ポケット・スプリングと呼ばれる独立した弾力的な要素を含む。
【０００８】
内側のスプリング・ユニットは一般的に、コイルスプリングの列及び段で成り立ち、各々のコイルスプリングは上部及び底部の平らな部分を有している。2つの隣接したコイルスプリングの各々は、スプリング保持要素、すなわち螺旋形のワイヤによって、上部及び底部において互いに取り付けられる。コイルスプリングはマットレスの幅に対して互いに並列である複数の直線の列において配置され、マットレスの長さに対して垂直に所定の距離で離間する。マットレスの長さに対して垂直な通路は、コイルスプリングの2つの隣接した列の間で形成される。
【０００９】
本発明の新規性は、スプリングの中央におけるコイルスプリングの2つの隣接した列の間での独立した弾力的な要素、すなわち通路へのポケット・スプリングの挿入である。本発明は、眠っている姿勢で、体の最も重い部分、すなわち腰回り部分に追加的な緩衝装置を提供する意図を有する。
【００１０】
各々のポケット・スプリングは、包まれたコイルスプリングのいくつかの折り返しを含み、ポケット・スプリングの配列を形成するために圧縮された状態において縫い込まれている。包まれたポケット・スプリングの高さは、緩んだ状態のコイルスプリングの高さよりわずかに低い。ポケット・スプリングは、設置を容易にし、追加的な内側のスプリング・クッションユニットとしての機能に役立つように構成される。
【００１１】
内側のスプリングの上部及び底部カバー・アセンブリは各々、弾力的な気泡材の複数層及び布の外層で構成される。弾力的な気泡材は、ポリウレタン（PU）またはラテックスの層及び布の外層に続くココナツ繊維の層で構成される。PU層がユーザに快適さを増加させるように機能する一方、ココナツ繊維層はマットレスの押出しを妨げるのを助ける。
【００１２】
最も外部のコイルスプリングの上部及び底部は、マットレスに周囲壁を作成するため、クリッピングによって境界ワイヤに取り付けられる。弾力的な気泡材は、全面的な睡眠時の快適さのためにマットレス周辺部全体の周りでより大きな端のサポートを提供するため、公知の方法で最も外部のコイルスプリングの側面を囲んで設置される。これは言い換えると、柔らかい、垂下している端を取り除くと、マットレス寿命を増すことになる。
【００１３】
ポケット・スプリングが設置されるマットレスの中心部にユーザが増加した重量を適用する場合、力が上部のカバー・アセンブリの発泡体層を圧縮するために最初に適用される。負荷が増加すると、コイルスプリングの頭がさらに圧縮し；そのコイルスプリングの頭はそれから、コイルスプリングの個々の緩衝装置と同様に設置されたポケット・スプリングを圧縮する。ポケット・スプリングは、内側のスプリング・ユニットに追加的な緩衝サポートを提供することが可能である。したがって、ポケット・スプリングのない状態と比較すると、マットレスは中心においてより硬く感じられる。
【００１４】
本発明は記載された具体例に制限されず、変形物は、添付の請求の範囲及びその等価物において定義された本発明の範囲内において、作成される可能性がある。
【発明を実施するための最良の形態】
【００１５】
図1を参照すると、発明のマットレス構造は、一般にボンネルスプリングまたはコイルスプリング（110）の列及び段から成り立つ内側のスプリング・ユニット（100）を有する。各々の2つの隣接したコイルスプリングは、スプリング保持要素、すなわち螺旋形のワイヤ（120）によって、頭部（上端部）（150）及び胴部（下端部）（160）で互いに取り付けられている。コイルスプリング（110）は、マットレスの幅（W）に相互に並列である複数の直線の列に配置され、マットレスの長さ（L）に対して垂直な所定の距離で離れて間隔を置かれる。マットレスの長さ（L）に対して垂直な通路（130）は、2つの隣接した列のコイルスプリング（110）の間で形成される。
【００１６】
次に図2を参照すると、それは、マットレスの中心部での内側のスプリング・ユニット（100）の部分断面図を図示する。各々のコイルスプリング（110）は、均一の直径の胴体（140）を有し、コイルスプリング（110）のいくつかの折り返し、及び、胴体（140）より大きい直径の頭及びベース（その両方は部分的に隠される）を含む。両方の部分が実質的には同一であるので、頭（150）及びベース（160）は単に便宜上名付けられるものである。各々の2つの隣接したコイルスプリング（110）の頭（150）及びベース（160）は、保持要素、すなわち螺旋形のワイヤ（120）によって互いに取り付けられる。図2において示される内側のスプリング・ユニット（100）は、外力がユニットに適用されない状態にある。一般に矩形の通路（130）は、スプリングの各々の2つの隣接した列においてスプリング（110）の胴体（140）の間で提供される。通路（130）は、上下の螺旋形のワイヤ（120）によって上部及び底部で囲まれていて、コイルスプリング（110）の隣接した列の胴体（140）によって横に囲まれている。
【００１７】
図2はまた、内側のスプリング・ユニットの中心部に、手動または設置を容易にするサポート装置で押すことによって、通路（130）に設置されるポケット・スプリング（170）の配列があることを示す。ポケット・スプリング（170）の主要な機能は、眠っている姿勢で、体の最も重い部分、すなわち、腰部分への追加的な援助を提供することである。本実施例は、内側のスプリングの中心部で設置されるポケット・スプリングの配列の数に制限されない。
【００１８】
図3によれば、個々のスプリング（171）は、連続モード（170）においてポケット・スプリングの配列を形成するため、圧縮された状態で適切な材料（172）によって包まれている。ポケットは、一方が開放された長い管状の包装材料を形成するため、その長い端（172a）に沿って一緒に縫い込まれる長い片の適切な布のような材料（172）から作成されることができる。個々のスプリング（171）はそれから包装材料（172）に挿入され、管状の包装材料の壁を押して、スプリング（171）の両端と整列配置される。各々のスプリング（171）はそれから、それぞれが個々のスプリング（171）を含む多くのポケットを形成するため、包装材料（172）に沿って垂直に縫い込む（172b）ことによって、隣接したスプリングから分離される。このように作成される場合、それは、内側のスプリング・ユニット（100）の中心部での後でのポケット・スプリング（170）の設置を容易にする。代替的に、包装材料は、それらの上に前もってカットされた孔（173）を有することができる。以前に記載されるように、包装材料はしたがって、孔（173）を有するポケットを形成するため、まだ縫い込まれている（172a、172b）。個々のスプリング（171）は、孔を経てポケットに挿入される。必要に応じて、使用されるスプリング（171）は、列において異なる硬さのポケット・スプリング配列（170）を形成するため、硬さにおいて変化する可能性があることが考えられる。
【００１９】
一方、図2は、内側のスプリング・ユニット（100）は下部のカバー・アセンブリ（L）の上に配置され、上部のカバー・アセンブリ（U）は内側のスプリング・ユニット（100）の上に配置されることをさらに図示する。上部（U）及び下部の（L）アセンブリは一般に、ポリウレタン（220）の層及び布（230）の外層に続くココナツ繊維（210）の第１層を含む同じ構造を有している。ラテックス、ウール、綿または絹は、ポリウレタン層に置き換えられる可能性がある。
【００２０】
ユーザがマットレスに増加した重量を適用する場合、負荷はまず、上部のカバー・アセンブリ（U）の気泡材層を圧縮するために適用される。重量のさらなる増加は、コイルスプリング（110）の頭（150）を圧縮させる。ポケット・スプリング（170）がコイルスプリング（110）の頭（150）のすぐ下に配置されると、コイルスプリング（110）それ自身によって生成された緩衝と同じく、包まれた材料（172）のスプリング（171）を続いて圧縮する。ポケット・スプリング（170）は、眠っている姿勢で体の腰部分の重量に追加的な緩衝サポートを提供するため、独立したクッションユニットとして作用する。したがって、ユーザはマットレスの全体にわたってより均一な緩衝サポートを感じる。
【００２１】
本願明細書において上記に記載される様々な本発明の態様の変形例は、単に例示的なものを示すだけである。例示の実施例に対する他の変形例は、付属の請求項に記載のように本発明の範囲および趣旨から逸脱することなく、従来技術の通常の当業者に直ちに見出されると理解される。
【図面の簡単な説明】
【００２２】
本発明の特徴および効果をより良く理解するため、参照は、添付の図面とともに以下の詳細な説明に作成されなければならず、そこにおいて、発明の例示の実施例は図と共に記載される：そこで、
【図１】改善された内側のスプリング・マットレスの構造の斜視図を図示する。
【図２】ポケット・スプリングが設置される中心部での、内側のスプリング・ユニットの部分断面図を示す。
【図３】可能な列の構造のうちの1つにおけるポケット・スプリング配列を示す。
【図１】
2009502309.tif 000003
【図２】
2009502309.tif 000004
【図３】
2009502309.tif 000005
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
マットレスのための改善された内側のスプリング・ユニットであって；
コイルスプリングの列及び段であって、該コイルスプリングが、所定の距離で相互に間隔を置かれるコイルスプリングの複数の列に配置されるコイルスプリングの列及び段;
2つの隣接したコイルスプリングの間で設置される複数の独立した弾力的な要素であって、該弾力的な要素は、該コイルスプリングの高さよりわずかに低い弾力的な要素;
及び、コイルスプリングを取り付けるため各々が弾力的な性質を有する複数のスプリング保持要素であって、該スプリング保持要素は、該取り付けられたコイルスプリングが集合的に圧縮されるのを容易にすることにおいて特徴づけられる複数のスプリング保持要素を含む内側のスプリング・ユニット。
【請求項２】
マットレスのための改善された内側のスプリング・ユニットであって；
コイルスプリングの列及び段であって、該コイルスプリングが、所定の距離で相互に間隔を置かれるコイルスプリングの複数の列に配置されるコイルスプリングの列及び段;
2つの隣接したコイルスプリングの間で設置される複数の独立した弾力的な要素であって、該弾力的な要素は、該コイルスプリングの高さと本質的に同じであるような弾力的な要素;
及び、コイルスプリングを取り付けるため各々が弾力的な性質を有する複数のスプリング保持要素であって；
該スプリング保持要素は、該取り付けられたコイルスプリングが集合的に圧縮されるのを容易にすることにおいて特徴づけられる複数のスプリング保持要素を含む内側のスプリング・ユニット。
【請求項３】
請求項1及び2に記載の改善された内側のスプリング・ユニットであって、前記コイルスプリングは、頭部分をベース部分に接続している胴体部分を有し、該頭部分及び該ベース部分は、該胴体部分より大きい内側のスプリング・ユニット。
【請求項４】
請求項3に記載の改善された内側のスプリング・ユニットであって、2つの隣接した前記コイルスプリングの前記頭及びベース部分はスプリング保持要素によって接続される内側のスプリング・ユニット。
【請求項５】
請求項1及び2に記載の改善された内側のスプリング・ユニットであって、前記弾力的な材料はポケット・スプリングである内側のスプリング・ユニット。
【請求項６】
請求項5に記載の改善された内側のスプリング・ユニットであって、前記ポケット・スプリングは、圧縮された状態で設置される内側のスプリング・ユニット。
【請求項７】
請求項5に記載の改善された内側のスプリング・ユニットであって、前記ポケット・スプリングの配列は、前記ポケット・スプリングの配列を形成するために一緒に縫い込まれる内側のスプリング・ユニット。
【請求項８】
請求項7に記載の改善された内側のスプリング・ユニットであって、前記ポケット・スプリングの列は直線の構造にある内側のスプリング・ユニット。
【請求項９】
請求項1及び2に記載の改善された内側のスプリング・ユニットであって、前記ポケット・スプリングは、前記改善された内側のスプリング・ユニットでできているマットレスの中心部に位置する内側のスプリング・ユニット。
【請求項１０】
請求項1及び2に記載の改善された内側のスプリング・ユニットであって、前記スプリング保持要素の各々は、異なる列の前記コイルスプリングを取り付けるため、該コイルスプリングの列に本質的に垂直に長手方向に延長している螺旋形のワイヤであり、該螺旋形のワイヤの各々が、2つの隣接したコイルスプリングの間で形成される通路に配置されることにおいて特徴づけられる内側のスプリング・ユニット。
【手続補正２】
【補正対象書類名】明細書
【補正対象項目名】全文
【補正方法】変更
【補正の内容】
【書類名】明細書
【発明の名称】内側のスプリング・ユニット
【技術分野】
【０００１】
本発明はマットレス構造、特にマットレスのための改善された内側のスプリング・ユニットに関する。
【発明の背景】
【０００２】
従来のマットレスは、内側のスプリング・ユニット、上部カバー・アセンブリ及び底部カバー・アセンブリで構成される。内側のスプリング・ユニットは、直列に配置されるコイルスプリングの配列を含む。2つの隣接したコイルスプリングの各々は、スプリング保持要素によって上部及び底部で互いに取り付けられる。上部及び底部カバー・アセンブリは、弾力的なフォーム材の複数層及び布の外層で各々が構成される。
【０００３】
一般に、理想的なマットレスは、硬さ及び柔らかさの間で釣合いを提供しなければならない。マットレスは、適切な援助を提供するのに十分硬くなければならない。しかしながら、マットレスはまた、ユーザに不快でないように、十分に柔らかくなければならない。したがって、マットレスの製造業者の目的は常に、これらの2つの矛盾する質の間の釣合いを目標にしている。
【０００４】
典型的な内側のスプリング・マットレスのため、硬さは内側のスプリング・ユニットのコイルスプリングによって提供され、柔らかさは上部及び底部カバー・アセンブリの気泡材層によって提供される。上部カバー・アセンブリの気泡材層が比較的薄い場合、マットレスはより硬いと感じられる。これは、比較的少量の負荷が上部カバー・アセンブリによって吸収され、大部分の負荷は内側のスプリング・ユニットによって吸収されるからである。この場合、マットレスはより柔らかいというよりはむしろより硬く感じられる。そのマットレスは、ハードタイプと称されるかもしれない。上部カバー・アセンブリの気泡材層がより厚い場合、より多くの負荷が上部カバー・アセンブリによって吸収され、内側のスプリング・ユニットにはより少量の負荷が吸収され、マットレスはより柔らかいと感じられる。しかしながら、最適の快適さでユーザの体重をサポートするためにある程度の硬さが必要とされるので、これは望ましくない。
【０００５】
従来のマットレスにおいて、内側のスプリング・ユニットの構造は実質的には均一である。しかしながら、体の部位は、体における異なる部分で異なる重量分配を有する。眠っている姿勢にある場合、腰回りの部分が体の最も重い部分である。ユーザが従来のマットレスで眠ると、異なる重量分配に起因する異なる力がマットレス上へ適用される。力は、眠っている位置の腰回り部分の場所であるマットレスの中央においてより大きい。これにより、マットレスの上面は、異なる重量分配に起因する人間の体の輪郭に適合する。これは、続いてユーザの快適さに影響を及ぼす。
【０００６】
発明の内側のスプリング構造は、眠っている姿勢にある一方で、体における腰回り部分の余分な負荷を追加的にサポートするため、内側のスプリング・ユニットの中心部に追加的な弾力的な材料を導入する。
【発明の開示】
【発明が解決しようとする課題】
【０００７】
本発明は、マットレスのための内側のスプリング・ユニットを製造する改善された方法であり、ここにおいて、内側のスプリング・ユニットは、コイルスプリングまたはボンネルスプリング、スプリング保持要素すなわち螺旋形のワイヤ、及び、ポケット・スプリングと呼ばれる独立した弾力的な要素を含む。
【０００８】
内側のスプリング・ユニットは一般的に、コイルスプリングの列及び段で成り立ち、各々のコイルスプリングは上部及び底部の平らな部分を有している。コイルスプリングはマットレスの幅に対して互いに並列である複数の直線の列において配置され、マットレスの長さに対して垂直に所定の距離で離間する。マットレスの長さに対して垂直な通路は、コイルスプリングの2つの隣接した列の間で形成される可能性がある。マットレスの長さに対して垂直な多くの空洞はまた、2つの隣接したコイルスプリングの間で形成される可能性がある。
【０００９】
本発明の目的は、隣接した列に互いにコイルスプリングを取り付けるように機能する弾力的な性質を有する取付手段を提供することである。採用された前記取付手段は、螺旋形のワイヤ・タイプであり、ここで、螺旋形のワイヤがコイルスプリングの列に対して垂直であるように、螺旋形のワイヤはコイルスプリングの高さ方向の特定の部分で延長する。螺旋形のワイヤは、各々が本質的にコイルスプリングの2つの隣接した段の間において所定の距離で間隔を置かれる。このような方法で取り付けられたコイルスプリングは、負荷に応答して集合的に圧縮されることを可能にする。
【００１０】
本発明の新規性は、スプリングの中央におけるコイルスプリングの2つの隣接した列の間での複数の独立した弾力的な要素、すなわちポケット・スプリングの通路または空洞への挿入である。各々のポケット・スプリングは、包まれたコイルスプリングのいくつかの折り返しを含み、ポケット・スプリングの配列を形成するために圧縮された状態において縫い込まれている。包まれたポケット・スプリングの高さは、緩んだ状態のコイルスプリングの高さよりわずかに低い。ポケット・スプリングは、設置を容易にし、追加的な内側のスプリング・クッションユニットとしての機能に役立つように構成される。
【００１１】
螺旋形のワイヤ取付けにより負荷の領域で集合的に作用する緩んだ状態の一セットのコイルスプリング、及び、互いに独立して作用する一セットのポケット・スプリングを含む弾力的な要素を含む内側のスプリング・ユニットを提供することは、また、本発明の目的である。
【００１２】
ポケット・スプリングが、眠っている姿勢の時に体の腰回り部分が存在する部分に特に追加的な緩衝の提供を意図する内側のスプリング・ユニットの特定の領域にポケット・スプリングは挿入される。ポケットにおいて包まれるコイルスプリングは、配列による異なる堅固さを形成するため、ポケット・スプリングの配列のそれぞれの堅固さに関して、異なる可能性がある。これは、弾力的な要素が挿入され、ポケット・スプリングが眠っている位置における体の腰回り部分が必要とする適切なサポートを受けるためにコイルスプリングに追加的なサポートを提供する部分を構成する内側のスプリング・ユニットを作成する。
【００１３】
内側のスプリングの上部及び底部カバー・アセンブリは各々、弾力的な気泡材の複数層及び布の外層で構成される。弾力的な気泡材は、ポリウレタン（PU）またはラテックスの層及び布の外層に続くココナツ繊維の層で構成される。PU層がユーザに快適さを増加させるように機能する一方、ココナツ繊維層はマットレスの押出しを妨げるのを助ける。
【００１４】
最も外部のコイルスプリングの上部及び底部は、マットレスに周囲壁を作成するため、クリッピングによって境界ワイヤに取り付けられる。弾力的な気泡材は、全面的な睡眠時の快適さのためにマットレス周辺部全体の周りでより大きな端のサポートを提供するため、公知の方法で最も外部のコイルスプリングの側面を囲んで設置される。これは言い換えると、柔らかい、垂下している端を取り除くと、マットレス寿命を増すことになる。
【００１５】
ポケット・スプリングが設置されるマットレスの中心部にユーザが増加した重量を適用する場合、力が上部のカバー・アセンブリの発泡体層を圧縮するために最初に適用される。負荷が増加すると、コイルスプリングの頭がさらに圧縮し；そのコイルスプリングの頭はそれから、コイルスプリングの個々の緩衝装置と同様に設置されたポケット・スプリングを圧縮する。ポケット・スプリングは、内側のスプリング・ユニットに追加的な緩衝サポートを提供することが可能である。初期の負荷は、特定の領域でコイルスプリングを圧縮し、影響を受けたスプリングは、圧縮に集合的に作用する。続いて、継続した負荷はそれから、影響を受けたコイルスプリングと同様にポケットに入れられたスプリングに及ぼされる。したがって、マットレスはポケット・スプリングのない状態と比較して、ポケット・スプリングが挿入される中心部分においてより硬く感じられる。
【００１６】
本発明は記載された具体例に制限されず、変形物は、添付の請求の範囲及びその等価物において定義された本発明の範囲内において、作成される可能性がある。
【発明を実施する最良の形態】
【００１８】
図1を参照すると、発明のマットレス構造は、一般にボンネルスプリングまたはコイルスプリング（110）の列及び段から成り立つ内側のスプリング・ユニット（100）を有する。各々の2つの隣接したコイルスプリングは、スプリング保持要素、すなわち螺旋形のワイヤ（120）によって、頭部（上端部）（150）及び胴部（下端部）（160）で互いに取り付けられている。コイルスプリング（110）は、マットレスの幅（W）に相互に並列である複数の直線の列に配置され、マットレスの長さ（L）に対して垂直な所定の距離で離れて間隔を置かれる。マットレスの長さ（L）に対して垂直な通路（130）は、2つの隣接した列のコイルスプリング（110）の間で形成される。
【００１９】
次に図2を参照すると、それは、マットレスの中心部での内側のスプリング・ユニット（100）の部分断面図を図示する。各々のコイルスプリング（110）は、均一の直径の胴体（140）を有し、コイルスプリング（110）のいくつかの折り返し、及び、胴体（140）より大きい直径の頭及びベース（その両方は部分的に隠される）を含む。両方の部分が実質的には同一であるので、頭（150）及びベース（160）は単に便宜上名付けられるものである。各々の2つの隣接したコイルスプリング（110）の頭（150）及びベース（160）は、保持要素、すなわち螺旋形のワイヤ（120）によって互いに取り付けられる。螺旋形のワイヤ（120）は、本質的にコイルスプリング（110）の列に対して垂直にコイルスプリング（110）を取り付けるため、コイルスプリング（110）の高さ方向で特定の部分を通って長手方向に延長する可能性がある。コイルスプリングは、負荷で圧縮される場合、螺旋形のワイヤ（120）によって、集合的に反応するように取り付けられる。螺旋形のワイヤ（120）の各々は、したがって、前記ワイヤ（120）の柔軟な屈曲を容易にし、コイルスプリング（110）の集合的な運動を抑制しないような構造である。
【００２０】
図2において示される内側のスプリング・ユニット（100）は、外力がユニットに適用されない状態にある。一般に矩形の通路（130）は、スプリングの各々の2つの隣接した列においてスプリング（110）の胴体（140）の間で提供される。通路（130）は、上下の螺旋形のワイヤ（120）によって上部及び底部で囲まれていて、コイルスプリング（110）の隣接した列の胴体（140）によって横に囲まれている。
【００２１】
図2はまた、好ましくは内側のスプリング・ユニットの中心部に、手動または設置を容易にするサポート装置で押すことによって、通路（130）に設置されるポケット・スプリング（170）の配列があることを示す。ポケット・スプリング（170）の主要な機能は、眠っている姿勢にある一方で、体の最も重い部分、すなわち、腰部分への追加的な援助を提供することである。本実施例は、内側のスプリングの中心部で設置されるポケット・スプリングの配列の数に制限されない。それゆえに、内側のスプリング・ユニットは、負荷に応答して螺旋形のスプリングにより集合的に作用するコイルスプリングの1セット、及び、継続した前記負荷に独立して反応するポケット・スプリングの1セットで構成される。
【００２２】
図3によれば、個々のスプリング（171）は、連続モード（170）においてポケット・スプリングの配列を形成するため、圧縮された状態で適切な材料（172）によって包まれている。ポケットは、一方が開放された長い管状の包装材料を形成するため、その長い端（172a）に沿って一緒に縫い込まれる長い片の適切な布のような材料（172）から作成されることができる。個々のスプリング（171）はそれから包装材料（172）に挿入され、管状の包装材料の壁を押して、スプリング（171）の両端と整列配置される。各々のスプリング（171）はそれから、それぞれが個々のスプリング（171）を含む多くのポケットを形成するため、包装材料（172）に沿って垂直に縫い込む（172b）ことによって、隣接したスプリングから分離される。このように作成される場合、それは、内側のスプリング・ユニット（100）の中心部での後でのポケット・スプリング（170）の設置を容易にする。代替的に、包装材料は、それらの上に前もってカットされた孔（173）を有することができる。以前に記載されるように、包装材料はしたがって、孔（173）を有するポケットを形成するため、まだ縫い込まれている（172a、172b）。個々のスプリング（171）は、孔を経てポケットに挿入される。必要に応じて、使用されるスプリング（171）は、列において異なる硬さのポケット・スプリング配列（170）を形成するため、硬さにおいて変化する可能性があることが考えられる。
【００２３】
一方、図2は、内側のスプリング・ユニット（100）は下部のカバー・アセンブリ（L）の上に配置され、上部のカバー・アセンブリ（U）は内側のスプリング・ユニット（100）の上に配置されることをさらに図示する。上部（U）及び下部の（L）アセンブリは一般に、ポリウレタン（220）の層及び布（230）の外層に続くココナツ繊維（210）の第１層を含む同じ構造を有している。ラテックス、ウール、綿または絹は、ポリウレタン層に置き換えられる可能性がある。
【００２４】
ユーザがマットレスに増加した体重を適用する場合、負荷はまず、上部のカバー・アセンブリ（U）の気泡材層を圧縮するために適用される。重量のさらなる増加は、コイルスプリング（110）の頭（150）を圧縮させる。ポケット・スプリング（170）がコイルスプリング（110）の頭（150）のすぐ下に配置されると、コイルスプリングがそこで集合的に反応するコイルスプリング（110）それ自身によって生成された緩衝と同じく、包まれた材料（172）のスプリング（171）を続いて圧縮する。ポケット・スプリング（170）は、眠っている姿勢にある一方で体の腰部分の重量に追加的な緩衝サポートを提供するため、独立したクッションユニットとして作用する。したがって、ユーザはマットレスの全体にわたってより均一な緩衝サポートを感じる。
【００２５】
本願明細書において上記に記載される様々な本発明の態様の変形例は、単に例示的なものを示すだけである。例示の実施例に対する他の変形例は、付属の請求項に記載のように本発明の範囲および趣旨から逸脱することなく、従来技術の通常の当業者に直ちに見出されると理解される。
【図面の簡単な説明】
【００１７】
本発明の特徴および効果をより良く理解するため、参照は、添付の図面とともに以下の詳細な説明に作成されなければならず、そこにおいて、発明の例示の実施例は図と共に記載される：そこで、
【図1】改善された内側のスプリング・マットレスの構造の斜視図を図示する。
【図2】ポケット・スプリングが設置される中心部での、内側のスプリング・ユニットの部分断面図を示す。
【図3】可能な列の構造のうちの1つにおけるポケット・スプリング配列を示す。
【国際調査報告】
2009502309.tif 000006
2009502309.tif 000007
2009502309.tif 000008
2009502309.tif 000009